(57)【要約】【課題】各ゴルファに対して適合するものを把握することが容易なゴルフクラブシャフトを提供する。【解決手段】本発明のゴルフクラブは、ゴルフクラブシャフトと、このゴルフクラブシャフトの一端を被覆するグリップと、このゴルフクラブシャフトの他端に装着されるゴルフクラブヘッドとを有するものであり、ゴルフクラブシャフトに適合するゴルファのゴルフスイングの指標である、インパクト直前のゴルフクラブのヘッドスピードＶｈと、グリップスピードＶｇとの比率Ｖｈ／ＶｇまたはグリップスピードＶｇがゴルフクラブシャフトに表示されている。【選択図】図１
2006192263.tif 000002
【特許請求の範囲】
【請求項１】
ゴルフクラブシャフトと、前記ゴルフクラブシャフトの一端を被覆するグリップと、前記ゴルフクラブシャフトの他端に装着されるゴルフクラブヘッドとを有するゴルフクラブであって、
ゴルフクラブシャフトに適合するゴルファのゴルフスイングの指標である、インパクト直前のゴルフクラブのヘッドスピードＶｈと、グリップスピードＶｇとの比率Ｖｈ／Ｖｇがゴルフクラブシャフトに表示されていることを特徴とするゴルフクラブ。
【請求項２】
ゴルフクラブシャフトと、前記ゴルフクラブシャフトの一端を被覆するグリップと、前記ゴルフクラブシャフトの他端に装着されるゴルフクラブヘッドとを有するゴルフクラブであって、
ゴルフクラブシャフトに適合するゴルファのゴルフスイングの指標である、インパクト直前のゴルフクラブのヘッドスピードＶｈと、グリップスピードＶｇとの比率Ｖｈ／Ｖｇに応じてゴルフクラブシャフトが色分けされていることを特徴とするゴルフクラブ。
【請求項３】
ゴルフクラブシャフトと、前記ゴルフクラブシャフトの一端を被覆するグリップと、前記ゴルフクラブシャフトの他端に装着されるゴルフクラブヘッドとを有するゴルフクラブであって、
ゴルフクラブシャフトに適合するゴルファのゴルフスイングの指標である、インパクト直前のゴルフクラブのヘッドスピードＶｈと、グリップスピードＶｇとの比率Ｖｈ／Ｖｇの値に応じた複数のレベルが設定され、前記設定されたレベルに応じて、文字、数値または色が割り当てられており、前記比率Ｖｈ／Ｖｇの値に応じた前記文字もしくは数値がゴルフクラブシャフトに表示されるか、または前記比率Ｖｈ／Ｖｇの値に応じた色でゴルフクラブシャフトが色分けされていることを特徴とするゴルフクラブ。
【請求項４】
ゴルフクラブシャフトと、前記ゴルフクラブシャフトの一端を被覆するグリップと、前記ゴルフクラブシャフトの他端に装着されるゴルフクラブヘッドとを有するゴルフクラブであって、
ゴルフクラブシャフトに適合するゴルファのゴルフスイングの指標である、インパクト直前のゴルフクラブのヘッドスピードＶｈと、グリップスピードＶｇとがゴルフクラブシャフトに表示されたことを特徴とするゴルフクラブ。
【請求項５】
ゴルフクラブシャフトと、前記ゴルフクラブシャフトの一端を被覆するグリップと、前記ゴルフクラブシャフトの他端に装着されるゴルフクラブヘッドとを有するゴルフクラブであって、
インパクト直前のゴルフクラブのヘッドスピードＶｈの値に応じた複数のレベルが設定され、前記設定されたレベルに応じて文字、数値または色が割り当てられており、前記ヘッドスピードＶｈの値に応じた前記文字もしくは数値がゴルフクラブシャフトに表示されるか、または前記ヘッドスピードＶｈの値に応じた色でゴルフクラブシャフトが色分けされ、さらにグリップスピードＶｇがゴルフクラブシャフトに表示されていることを特徴とするゴルフクラブ。
【請求項６】
前記グリップスピードＶｇは、その値に応じた複数のレベルが設定され、前記設定されたレベルに応じて文字、数値または色が割り当てられており、前記グリップスピードＶｇの値に応じた前記文字もしくは数値がゴルフクラブシャフトに表示されるか、または前記グリップスピードＶｇの値に応じた色でゴルフクラブシャフトが色分けされている請求項５に記載のゴルフクラブ。
【請求項７】
ゴルフクラブシャフトと、前記ゴルフクラブシャフトの一端を被覆するグリップと、前記ゴルフクラブシャフトの他端に装着されるゴルフクラブヘッドとを有するゴルフクラブであって、
インパクト直前のゴルフクラブのヘッドスピードＶｈの値に応じた複数のレベルが設定され、前記設定されたレベルに応じて文字、数値または色が割り当てられており、前記ヘッドスピードＶｈの値に応じた前記文字もしくは数値がゴルフクラブシャフトに表示されるか、または前記ヘッドスピードＶｈの値に応じた色でゴルフクラブシャフトが色分けされ、さらに前記ヘッドスピードＶｈと、グリップスピードＶｇとの比率Ｖｈ／Ｖｇがゴルフクラブシャフトに表示されていることを特徴とするゴルフクラブ。
【請求項８】
前記比率Ｖｈ／Ｖｇは、その値に応じた複数のレベルが設定され、前記設定されたレベルに応じて、文字、数値または色が割り当てられており、前記比率Ｖｈ／Ｖｇの値に応じた前記文字もしくは数値がゴルフクラブシャフトに表示されるか、または前記比率Ｖｈ／Ｖｇの値に応じた色でゴルフクラブシャフトが色分けされている請求項７に記載のゴルフクラブ。
【請求項９】
ゴルフクラブシャフトに適合するゴルファのゴルフスイングの指標である、インパクト直前のゴルフクラブのヘッドスピードＶｈと、グリップスピードＶｇとの比率Ｖｈ／Ｖｇが表示されていることを特徴とするゴルフクラブシャフト。
【請求項１０】
ゴルフクラブシャフトに適合するゴルファのゴルフスイングの指標である、インパクト直前のゴルフクラブのヘッドスピードＶｈと、グリップスピードＶｇとの比率Ｖｈ／Ｖｇに応じて色分けされていることを特徴とするゴルフクラブシャフト。
【請求項１１】
ゴルフクラブシャフトに適合するゴルファのゴルフスイングの指標である、インパクト直前のゴルフクラブのヘッドスピードＶｈと、グリップスピードＶｇとの比率Ｖｈ／Ｖｇの値に応じた複数のレベルが設定され、前記設定されたレベルに応じて、文字、数値または色が割り当てられており、前記比率Ｖｈ／Ｖｇの値に応じた前記文字もしくは数値が表示されるか、または前記比率Ｖｈ／Ｖｇの値に応じた色で色分けされていることを特徴とするゴルフクラブシャフト。
【請求項１２】
ゴルフクラブシャフトに適合するゴルファのゴルフスイングの指標である、インパクト直前のゴルフクラブのヘッドスピードＶｈと、グリップスピードＶｇとが表示されていることを特徴とするゴルフクラブシャフト。
【請求項１３】
インパクト直前のゴルフクラブのヘッドスピードＶｈの値に応じた複数のレベルが設定され、前記設定されたレベルに応じて文字、数値または色が割り当てられており、前記ヘッドスピードＶｈの値に応じた前記文字もしくは数値が表示されるか、または前記ヘッドスピードＶｈの値に応じた色で色分けされ、さらにグリップスピードＶｇが表示されていることを特徴とするゴルフクラブシャフト。
【請求項１４】
前記グリップスピードＶｇは、その値に応じた複数のレベルが設定され、前記設定されたレベルに応じて文字、数値または色が割り当てられており、前記グリップスピードＶｇの値に応じた前記文字もしくは数値が表示されるか、または前記グリップスピードＶｇの値に応じた色で色分けされている請求項１３に記載のゴルフクラブ。
【請求項１５】
インパクト直前のゴルフクラブのヘッドスピードＶｈの値に応じた複数のレベルが設定され、前記設定されたレベルに応じて文字、数値または色が割り当てられており、前記ヘッドスピードＶｈの値に応じた前記文字もしくは数値が表示されるか、または前記ヘッドスピードＶｈの値に応じた色で色分けされ、さらに前記ヘッドスピードＶｈと、グリップスピードＶｇとの比率Ｖｈ／Ｖｇが表示されていることを特徴とするゴルフクラブシャフト。
【請求項１６】
前記比率Ｖｈ／Ｖｇは、その値に応じた複数のレベルが設定され、前記設定されたレベルに応じて、文字、数値または色が割り当てられており、前記比率Ｖｈ／Ｖｇの値に応じた前記文字もしくは数値が表示されるか、または前記比率Ｖｈ／Ｖｇの値に応じた色で色分けされている請求項１５に記載のゴルフクラブ。
【発明の詳細な説明】
【技術分野】
【０００１】
本発明は、ゴルフクラブ及びゴルフクラブシャフトに関し、さらに詳しくは、インパクト直前のゴルフクラブのヘッドスピードＶｈとグリップスピードＶｇとの比率Ｖｈ／Ｖｇ、またはグリップスピードＶｇが表示されているゴルフクラブシャフト、およびこのゴルフクラブシャフトを有するゴルフクラブに関する。
【背景技術】
【０００２】
従来から、ゴルフボールの飛びの方向を正確にかつ飛距離を長くするために、ゴルフクラブのシャフト長さやクラブ重量やシャフト硬さ等の静的な特性を考慮して、種々のゴルフクラブが製造されてきた。
ゴルファは、自分に最適なフレックスのゴルフクラブを選定する際に、インパクト寸前のゴルフクラブのヘッドスピードだけを基準にして、ゴルフクラブシャフトの最適フレックスを決定していた。
また、各シャフトメーカーも、種々のゴルフクラブシャフトの選定基準を提案しているが、全てヘッドスピードを基準とするものであり、それ以外の指標を用いていなかった。
【０００３】
近年では、ゴルフクラブシャフトの選定に関するユーザからのニーズが詳細になってくるにつれ、ヘッドスピードのみに基づいた選択方法によって、ユーザに最適なゴルフクラブシャフトを選定することは不十分であると考えられ、種々の選定方法が提案されている（例えば、特許文献１参照）。
特許文献１には、個々のゴルファに最適なシャフトフレックスを決定付ける要因は、スイングスピード、トップ時のゴルフクラブシャフトの歪み量、スイング時間、加速度であるとの知見に基づいてゴルフクラブシャフトを選定するシャフト選定装置が提案されている。
【特許文献１】国際公開第９６／１１７２６号パンフレット
【発明の開示】
【発明が解決しようとする課題】
【０００４】
しかしながら、上記特許文献１などにおいては、ゴルフクラブシャフトをユーザに分かり易く表示する方法等については、触れられていない。
また、シャフトフレックスを選定する指標であるキックポイントは、先調子や元調子というように、尺度のあいまいな表現が用いられており、ユーザにとっては極めて解りずらいものであった。
【０００５】
本発明は、かかる実情に鑑みてなされたものであり、各ゴルファに対して適合するものを把握することが容易なゴルフクラブシャフトおよびこのゴルフクラブシャフトを有するゴルフクラブを提供することを目的とする。
【課題を解決するための手段】
【０００６】
前記課題を解決するために、本発明の第１の態様は、ゴルフクラブシャフトと、前記ゴルフクラブシャフトの一端を被覆するグリップと、前記ゴルフクラブシャフトの他端に装着されるゴルフクラブヘッドとを有するゴルフクラブであって、ゴルフクラブシャフトに適合するゴルファのゴルフスイングの指標である、インパクト直前のゴルフクラブのヘッドスピードＶｈと、グリップスピードＶｇとの比率Ｖｈ／Ｖｇがゴルフクラブシャフトに表示されていることを特徴とするゴルフクラブを提供するものである。
【０００７】
本発明の第２の態様は、ゴルフクラブシャフトと、前記ゴルフクラブシャフトの一端を被覆するグリップと、前記ゴルフクラブシャフトの他端に装着されるゴルフクラブヘッドとを有するゴルフクラブであって、ゴルフクラブシャフトに適合するゴルファのゴルフスイングの指標である、インパクト直前のゴルフクラブのヘッドスピードＶｈと、グリップスピードＶｇとの比率Ｖｈ／Ｖｇに応じてゴルフクラブシャフトが色分けされていることを特徴とするゴルフクラブを提供するものである。
【０００８】
本発明の第３の態様は、ゴルフクラブシャフトと、前記ゴルフクラブシャフトの一端を被覆するグリップと、前記ゴルフクラブシャフトの他端に装着されるゴルフクラブヘッドとを有するゴルフクラブであって、ゴルフクラブシャフトに適合するゴルファのゴルフスイングの指標である、インパクト直前のゴルフクラブのヘッドスピードＶｈと、グリップスピードＶｇとの比率Ｖｈ／Ｖｇの値に応じた複数のレベルが設定され、前記設定されたレベルに応じて、文字、数値または色が割り当てられており、前記比率Ｖｈ／Ｖｇの値に応じた前記文字もしくは数値がゴルフクラブシャフトに表示されるか、または前記比率Ｖｈ／Ｖｇの値に応じた色でゴルフクラブシャフトが色分けされていることを特徴とするゴルフクラブを提供するものである。
【０００９】
本発明の第４の態様は、ゴルフクラブシャフトと、前記ゴルフクラブシャフトの一端を被覆するグリップと、前記ゴルフクラブシャフトの他端に装着されるゴルフクラブヘッドとを有するゴルフクラブであって、ゴルフクラブシャフトに適合するゴルファのゴルフスイングの指標である、インパクト直前のゴルフクラブのヘッドスピードＶｈと、グリップスピードＶｇとがゴルフクラブシャフトに表示されたことを特徴とするゴルフクラブを提供するものである。
【００１０】
また、本発明の第５の態様は、ゴルフクラブシャフトと、前記ゴルフクラブシャフトの一端を被覆するグリップと、前記ゴルフクラブシャフトの他端に装着されるゴルフクラブヘッドとを有するゴルフクラブであって、インパクト直前のゴルフクラブのヘッドスピードＶｈの値に応じた複数のレベルが設定され、前記設定されたレベルに応じて文字、数値または色が割り当てられており、前記ヘッドスピードＶｈの値に応じた前記文字もしくは数値がゴルフクラブシャフトに表示されるか、または前記ヘッドスピードＶｈの値に応じた色でゴルフクラブシャフトが色分けされ、さらにグリップスピードＶｇがゴルフクラブシャフトに表示されていることを特徴とするゴルフクラブを提供するものである。
【００１１】
本発明においては、前記グリップスピードＶｇは、その値に応じた複数のレベルが設定され、前記設定されたレベルに応じて文字、数値または色が割り当てられており、前記グリップスピードＶｇの値に応じた前記文字もしくは数値がゴルフクラブシャフトに表示されるか、または前記グリップスピードＶｇの値に応じた色でゴルフクラブシャフトが色分けされていることが好ましい。
【００１２】
また、本発明の第６の態様は、ゴルフクラブシャフトと、前記ゴルフクラブシャフトの一端を被覆するグリップと、前記ゴルフクラブシャフトの他端に装着されるゴルフクラブヘッドとを有するゴルフクラブであって、インパクト直前のゴルフクラブのヘッドスピードＶｈの値に応じた複数のレベルが設定され、前記設定されたレベルに応じて文字、数値または色が割り当てられており、前記ヘッドスピードＶｈの値に応じた前記文字もしくは数値がゴルフクラブシャフトに表示されるか、または前記ヘッドスピードＶｈの値に応じた色でゴルフクラブシャフトが色分けされ、さらに前記ヘッドスピードＶｈと、グリップスピードＶｇとの比率Ｖｈ／Ｖｇがゴルフクラブシャフトに表示されていることを特徴とするゴルフクラブを提供することにある。
【００１３】
本発明においては、前記比率Ｖｈ／Ｖｇは、その値に応じた複数のレベルが設定され、前記設定されたレベルに応じて、文字、数値または色が割り当てられており、前記比率Ｖｈ／Ｖｇの値に応じた前記文字もしくは数値がゴルフクラブシャフトに表示されるか、または前記比率Ｖｈ／Ｖｇの値に応じた色でゴルフクラブシャフトが色分けされていることが好ましい。
【００１４】
また、本発明の第７の態様は、ゴルフクラブシャフトに適合するゴルファのゴルフスイングの指標である、インパクト直前のゴルフクラブのヘッドスピードＶｈと、グリップスピードＶｇとの比率Ｖｈ／Ｖｇが表示されていることを特徴とするゴルフクラブシャフトを提供するものである。
【００１５】
本発明の第８の態様は、ゴルフクラブシャフトに適合するゴルファのゴルフスイングの指標である、インパクト直前のゴルフクラブのヘッドスピードＶｈと、グリップスピードＶｇとの比率Ｖｈ／Ｖｇに応じて色分けされていることを特徴とするゴルフクラブシャフトを提供するものである。
【００１６】
本発明の第９の態様は、ゴルフクラブシャフトに適合するゴルファのゴルフスイングの指標である、インパクト直前のゴルフクラブのヘッドスピードＶｈと、グリップスピードＶｇとの比率Ｖｈ／Ｖｇの値に応じた複数のレベルが設定され、前記設定されたレベルに応じて、文字、数値または色が割り当てられており、前記比率Ｖｈ／Ｖｇの値に応じた前記文字もしくは数値が表示されるか、または前記比率Ｖｈ／Ｖｇの値に応じた色で色分けされていることを特徴とするゴルフクラブシャフトを提供するものである。
【００１７】
本発明の第１０の態様は、ゴルフクラブシャフトに適合するゴルファのゴルフスイングの指標である、インパクト直前のゴルフクラブのヘッドスピードＶｈと、グリップスピードＶｇとが表示されていることを特徴とするゴルフクラブシャフトを提供するものである。
【００１８】
本発明の第１１の態様は、インパクト直前のゴルフクラブのヘッドスピードＶｈの値に応じた複数のレベルが設定され、前記設定されたレベルに応じて文字、数値または色が割り当てられており、前記ヘッドスピードＶｈの値に応じた前記文字もしくは数値が表示されるか、または前記ヘッドスピードＶｈの値に応じた色で色分けされ、さらにグリップスピードＶｇが表示されていることを特徴とするゴルフクラブシャフトを提供するものである。
【００１９】
本発明においては、前記グリップスピードＶｇは、その値に応じた複数のレベルが設定され、前記設定されたレベルに応じて文字、数値または色が割り当てられており、前記グリップスピードＶｇの値に応じた前記文字もしくは数値が表示されるか、または前記グリップスピードＶｇの値に応じた色で色分けされていることが好ましい。
【００２０】
本発明の第１２の態様は、インパクト直前のゴルフクラブのヘッドスピードＶｈの値に応じた複数のレベルが設定され、前記設定されたレベルに応じて文字、数値または色が割り当てられており、前記ヘッドスピードＶｈの値に応じた前記文字もしくは数値が表示されるか、または前記ヘッドスピードＶｈの値に応じた色で色分けされ、さらに前記ヘッドスピードＶｈと、グリップスピードＶｇとの比率Ｖｈ／Ｖｇが表示されていることを特徴とするゴルフクラブシャフトを提供するものである。
【００２１】
本発明においては、前記比率Ｖｈ／Ｖｇは、その値に応じた複数のレベルが設定され、前記設定されたレベルに応じて、文字、数値または色が割り当てられており、前記比率Ｖｈ／Ｖｇの値に応じた前記文字もしくは数値が表示されるか、または前記比率Ｖｈ／Ｖｇの値に応じた色で色分けされていることが好ましい。
【発明の効果】
【００２２】
本発明の第１の態様または第２の態様のゴルフクラブによれば、ゴルフクラブシャフトに、インパクト直前のゴルフクラブのヘッドスピードＶｈと、グリップスピードＶｇとの比率Ｖｈ／Ｖｇを表示するか、またはゴルフクラブシャフトを色分けすることにより、各ゴルファが、各人に適したゴルフクラブシャフトを備えるものの選択が容易になり、各ゴルファに対して適合したゴルフクラブシャフトを有するゴルフクラブを提供することができる。
【００２３】
本発明の第３の態様のゴルフクラブによれば、インパクト直前のゴルフクラブのヘッドスピードＶｈと、グリップスピードＶｇとの比率Ｖｈ／Ｖｇの値に応じた複数のレベルを設定し、レベルに応じて、文字、数値または色を割り当てて、比率Ｖｈ／Ｖｇの値に応じた文字もしくは数値をゴルフクラブシャフトに表示するか、または比率Ｖｈ／Ｖｇの値に応じた色でゴルフクラブシャフトを色分けすることにより、各ゴルファが、各人に適したゴルフクラブシャフトを備えるものの選択が容易になり、各ゴルファに対して適合したゴルフクラブシャフトを有するゴルフクラブを提供することができる。
【００２４】
本発明の第４の態様のゴルフクラブによれば、ゴルフクラブシャフトに、インパクト直前のゴルフクラブのヘッドスピードＶｈと、グリップスピードＶｇとを表示することにより、各ゴルファが、各人に適したゴルフクラブシャフトを備えるものの選択が容易になり、各ゴルファに対して適合したゴルフクラブシャフトを有するゴルフクラブを提供することができる。
【００２５】
本発明の第５の態様のゴルフクラブによれば、インパクト直前のゴルフクラブのヘッドスピードＶｈの値に応じた複数のレベルを設定し、この設定されたレベルに応じて文字、数値または色が割り当てられており、ヘッドスピードＶｈの値に応じた前記文字もしくは数値をゴルフクラブシャフトに表示するか、またはヘッドスピードＶｈの値に応じた色でゴルフクラブシャフトを色分け、さらにグリップスピードＶｇをゴルフクラブシャフトに表示することにより、各ゴルファが、各人に適したゴルフクラブシャフトを備えるものの選択が容易になり、各ゴルファに対して適合したゴルフクラブシャフトを有するゴルフクラブを提供することができる。
【００２６】
本発明の第６の態様のゴルフクラブによれば、インパクト直前のゴルフクラブのヘッドスピードＶｈの値に応じた複数のレベルを設定し、この設定されたレベルに応じて文字、数値または色が割り当てられており、ヘッドスピードＶｈの値に応じた前記文字もしくは数値をゴルフクラブシャフトに表示するか、またはヘッドスピードＶｈの値に応じた色でゴルフクラブシャフトを色分け、さらにヘッドスピードＶｈと、グリップスピードＶｇとの比率Ｖｈ／Ｖｇをゴルフクラブシャフトに表示することにより、各ゴルファが、各人に適したゴルフクラブシャフトを備えるものの選択が容易になり、各ゴルファに対して適合したゴルフクラブシャフトを有するゴルフクラブを提供することができる。
【００２７】
本発明の第７の態様または第８の態様のゴルフクラブシャフトによれば、インパクト直前のゴルフクラブのヘッドスピードＶｈと、グリップスピードＶｇとの比率Ｖｈ／Ｖｇを表示するか、または色分けすることにより、ヘッドスピード以外の指標に基づいて、各ゴルファに対して適合するものを容易に把握することできる。
【００２８】
本発明の第９の態様のゴルフクラブシャフトによれば、インパクト直前のゴルフクラブのヘッドスピードＶｈと、グリップスピードＶｇとの比率Ｖｈ／Ｖｇの値に応じた複数のレベルを設定し、レベルに応じて、文字、数値または色を割り当てて、比率Ｖｈ／Ｖｇの値に応じた文字もしくは数値を表示するか、または比率Ｖｈ／Ｖｇの値に応じた色で色分けることにより、ヘッドスピード以外の指標に基づいて、各ゴルファに対して適合するものを容易に把握することできる。
【００２９】
本発明の第１０の態様のゴルフクラブシャフトによれば、インパクト直前のゴルフクラブのヘッドスピードＶｈと、グリップスピードＶｇとを表示することにより、ヘッドスピード以外の指標に基づいて、各ゴルファに対して適合するものを容易に把握することできる。
【００３０】
本発明の第１１の態様のゴルフクラブシャフトによれば、インパクト直前のゴルフクラブのヘッドスピードＶｈの値に応じた複数のレベルが設定され、この設定されたレベルに応じて文字、数値または色が割り当てられており、ヘッドスピードＶｈの値に応じた文字もしくは数値を表示するか、またはヘッドスピードＶｈの値に応じた色で色分け、さらにグリップスピードＶｇを表示することにより、ヘッドスピード以外の指標に基づいて、各ゴルファに対して適合するものを容易に把握することできる。
【００３１】
本発明の第１２の態様のゴルフクラブシャフトによれば、インパクト直前のゴルフクラブのヘッドスピードＶｈの値に応じた複数のレベルが設定され、この設定されたレベルに応じて文字、数値または色が割り当てられており、ヘッドスピードＶｈの値に応じた文字もしくは数値を表示するか、またはヘッドスピードＶｈの値に応じた色で色分け、さらにヘッドスピードＶｈと、グリップスピードＶｇとの比率Ｖｈ／Ｖｇを表示することにより、ヘッドスピード以外の指標に基づいて、各ゴルファに対して適合するものを容易に把握することできる。
【発明を実施するための最良の形態】
【００３２】
本発明に係るゴルフクラブシャフトおよびゴルフクラブについて、添付の図面に示す実施形態を基に詳細に説明する。
図１は、本発明の第１の実施形態に係るゴルフクラブを示す模式図である。
【００３３】
図１に示すように、本実施形態のゴルフクラブ１０は、ゴルフクラブシャフト１２と、ゴルフクラブシャフト１２の一端を被覆するグリップ１４と、ゴルフクラブシャフト１２の他端に装着されるゴルフクラブヘッド１６とを備え、ゴルフクラブヘッド１６はヒール側で上方に向けられて突設されたホーゼル部１８ｂにソケットを介してゴルフクラブシャフト１２が接合されている。
【００３４】
ゴルフクラブヘッド１６は、ゴルフボールを打撃する打撃面を有するフェース部１８ａと、ゴルフクラブシャフト１２が挿入されて接合されるホーゼル部１８ｂとを有する。
ゴルフクラブヘッド１６は、特に限定されるものではなく、中空構造体からなる中空ゴルフクラブヘッド、いわゆるドライバー等のウッドと呼ばれる種類のヘッド、および一般的にアイアンと呼ばれる種類のヘッドが含まれる。
【００３５】
グリップ１４は、ゴルファが把持する部分であり、ゴムや皮革などにより形成されている。ゴルフクラブシャフト１２の他端側におけるグリップ１４の端部がグリップ端１５である。ここで、ゴルフボールを打撃する直前におけるグリップ端１５の速度をグリップスピードという。
【００３６】
ゴルフクラブシャフト１２は、例えば、その全長に亘って中空の円筒状体であり、軽量な繊維強化樹脂材により形成される。この繊維強化樹脂材としては、例えば、カーボン繊維強化プラスチック（ＣＦＲＰ）またはガラス繊維強化プラスチック（ＧＦＲＰ）が用いられる。
【００３７】
ゴルフクラブシャフト１２は、その表面にインパクト直前のゴルフクラブヘッド１６のヘッドスピードと、グリップ端１５のグリップスピードとの比率Ｖｈ／ＶｇまたはグリップスピードＶｇを含む表示が記された表示部２０が設けられている。この比率Ｖｈ／Ｖｇは各ゴルファに対して適合するゴルフクラブシャフトを選定するための指標であり、本願発明者によって見出されたものである。なお、各ゴルファに対して適合するゴルフクラブシャフトが、比率Ｖｈ／Ｖｇに応じて選定できることについては、後で詳しく説明する。
本発明に係るゴルフクラブシャフトは、各ゴルファに対して適合するゴルフクラブシャフトを選定するための指標を表示する表示部２０を有するものである。これにより、各ゴルファは表示部に記載の指標に基づいてゴルフクラブシャフトを選定することで、自分に適合するゴルフクラブシャフトを容易に把握することができる。
【００３８】
図２（ａ）〜（ｃ）は、本実施形態のゴルフクラブにおけるゴルフクラブシャフトを選定するための指標を表示する表示部の一例を示す模式図である。
ゴルフクラブシャフト１２の表示部２０は、比率Ｖｈ／Ｖｇ以外にもシャフトメーカを表す表示やゴルフクラブシャフトのシリーズを表す表示、ゴルフクラブシャフトを選定する指標など、種々の情報が記される。
表示部２０は、例えば、ゴルフクラブシャフト１２の表面に貼り付けられるラベルにより構成されるものである。
この表示部２０は、シャフトメーカ、ゴルフクラブシャフトのシリーズ、およびゴルフクラブシャフトの商品名などが表示される第１の表示領域２２と、シャフトスピードＶｇが表示される第２の表示領域２４と、比率Ｖｈ／Ｖｇの値が表示される第３の表示領域２６とを有する。
【００３９】
図２（ａ）〜（ｃ）に示すように、第２の表示領域２４に表示される「Ｍ−４３」は、ゴルフクラブシャフトを選定するための指標である、ゴルフクラブのヘッドスピードＶｈを表す。すわなち、このゴルフクラブシャフトは、ヘッドスピードが４３ｍ／ｓ付近（４６〜４３ｍ／ｓ）のゴルファによって使用されたときに機能を十分に発揮することができるものである。
ヘッドスピードは、従来から基準とされているゴルフクラブシャフトを選定するための指標であり、一般的に、ヘッドスピードの速いゴルファには、硬くて、しなりの少ないゴルフクラブシャフトが適しており、ヘッドスピードの遅いゴルファには、軟らかくて、ある程度しなるゴルフクラブシャフトが適している。
【００４０】
図２（ａ）〜（ｃ）に示す第３の表示領域２６に示される数値「００８」，「０１２」，「０１６」は、ゴルフクラブシャフトを選定するための指標である、インパクト直前のゴルフクラブのヘッドスピードＶｈとグリップスピードＶｇとの比率Ｖｈ／Ｖｇの値を表わすものである。
【００４１】
本発明において、ゴルフクラブのヘッドスピードＶｈおよびグリップスピードＶｇは、インパクト直前のゴルフクラブヘッドにおける速度を求めることが好ましい。しかしながら、インパクト点の前後の区間におけるゴルフクラブヘッドのヘッドスピードおよびグリップスピードでもインパクト直前のものとして代用可能である。
また、ヘッドスピードＶｈは、ゴルフクラブヘッドの端部の速度を示すものであるが、グリップ端部よりも７００ｍｍ以上離間した位置における速度をヘッドスピードＶｈとして代用してもよい。この場合、グリップ端部からの位置の上限は、ゴルフクラブヘッドの端部である。
さらに、グリップスピードＶｇは、グリップ端部の速度を示すものであるが、グリップ端部より３００ｍｍの範囲内にある点における速度をグリップスピードＶｇとして代用してもよい。本発明においては、グリップ端部より２００ｍｍの範囲内にある点における速度をグリップスピードＶｇとして代用することが好ましい。
また、ゴルフクラブのヘッドスピードＶｈおよびグリップスピードＶｇは、ゴルフクラブが２点間を通過する時間により算出することができる、この場合、２点間の距離は、２０〜２００ｍｍであることが好ましい。
【００４２】
また、ヘッドスピードＶｈおよびグリップスピードＶｇは、測定方法については特に限定されるものではなく、それぞれ直接的に測定してもよい。
なお、直接的に測定する以外にもヘッドスピードＶｈおよびグリップスピードＶｇは、ゴルフクラブのゴルフクラブシャフト上におけるグリップ位置とヘッド位置との間にある２つの測定位置の移動速度を測定し、各測定位置における移動速度に基づいて、それぞれ算出することもできる。
この場合、ゴルフクラブシャフト上の２つの測定位置の間隔をα、２つの測定位置のうちグリップ位置側にある一方の測定位置からグリップ位置までの距離をβ、グリップ位置とゴルフクラブヘッド位置との間隔をＨ、インパクト状態における一方の測定位置の移動速度をＶａ、他方の測定位置の移動速度をＶｂとする。このとき、インパクト直前におけるグリップスピードＶｇは下記式（１）を用いて算出される。また、インパクト直前におけるヘッドスピードＶｈは下記式（２）を用いて算出される。
Ｖｇ＝{（α＋β）×Ｖａ−β×Ｖｂ}／α                  ・・・（１）
Ｖｈ＝{（α＋β−Ｈ）×Ｖａ＋（Ｈ−β）×Ｖｂ}／α      ・・・（２）
【００４３】
本実施形態においては、同じヘッドスピードＶｈに対して、グリップスピードＶｇが異なる３種類のゴルフクラブシャフトを例示している（図２（ａ）〜（ｃ）参照）。本実施形態においては、グリップスピードＶｇが遅い方から３段階に分類されている。
ゴルファは、従来から行われているゴルフクラブのヘッドスピードＶｈに加えて、本願発明者が見出した新たな指標である比率Ｖｈ／Ｖｇに基づいて、自分に適合するゴルフクラブシャフトを選定することができる。
【００４４】
図２（ａ）〜（ｃ）に示すように、本実施形態では、比率Ｖｈ／Ｖｇの値が異なる３種類のゴルフクラブシャフトを示しており、ゴルフクラブシャフトは３段階に分類されているが、さらに異なる比率Ｖｈ／Ｖｇの値のゴルフクラブシャフトを提供してもよい。
そうすることにより、ゴルフクラブシャフトを提供する者は、ユーザからの詳細なニーズに対応して分類されたゴルフクラブシャフトを提供することができる。
【００４５】
また、同一人のゴルファであっても、ゴルフクラブの重さや長さが異なるゴルフクラブをゴルフスイングしたときには、ヘッドスピードが異なる場合がある。
本実施形態のゴルフクラブシャフトは、ゴルフクラブのヘッドスピードＶｇとともに比率Ｖｈ／Ｖｇが表示されているため、ヘッドスピードに加えて比率Ｖｈ／Ｖｇを基準として、ゴルフクラブ選定することで、ゴルフクラブシャフトの選定をより客観的に行うことができる。
【００４６】
図２（ａ）〜（ｃ）では、ゴルフクラブシャフトを選定するための指標を表示する表示部２０には、ヘッドスピードＶｈとグリップスピードＶｇの比率Ｖｈ／Ｖｇを数値で表示したが、表示部２０における比率Ｖｈ／Ｖｇの表示形態はこれに限定されず、比率Ｖｈ／Ｖｇを、その値に応じて色を設定し、この設定された色に基づいて比率Ｖｈ／Ｖｇを色分けして表示してもよい。
例えば、下記表１に示すように、比率Ｖｈ／Ｖｇの値が１６付近であるものを「青色」に設定し、比率Ｖｈ／Ｖｇの値が８付近であるものを「赤色」に設定し、比率Ｖｈ／Ｖｇの値が１２付近であるものを「白色」に設定する。
これらの色の設定に基づいて、比率Ｖｈ／Ｖｇの値が１６付近のゴルファに適したゴルフクラブシャフトの表示部２０を青色で表示し、比率Ｖｈ／Ｖｇの値が８付近のゴルファに適したゴルフクラブシャフトの表示部２０を赤色で表示する。これらの中間である、比率Ｖｈ／Ｖｇの値が１２付近のゴルファに適したゴルフクラブシャフトの表示部２０を白色で表示するなどしてもよい。
また、本発明においては、表示部２０を色分けすることに限定されるものではなく、表示部２０以外のゴルフクラブシャフト１２の本体部を色分けしてもよい。
【００４７】
【表１】
2006192263.tif 000003
【００４８】
さらに、図２（ａ）〜（ｃ）に示すそれぞれの比率Ｖｈ／Ｖｇの中間の値を有するゴルファに適したゴルフクラブシャフトの表示部２０を、中間色で表示してもよい。つまり、比率Ｖｈ／Ｖｇの値が１６（青）と比率Ｖｈ／Ｖｇの値が１２（白）の間である、比率Ｖｈ／Ｖｇの値が１４の場合には、薄い青色で表示することもできる。
なお、比率Ｖｈ／Ｖｇの値に応じて色を設定した場合には、比率Ｖｈ／Ｖｇの値と、設定した色との関係を、表にまとめておき、この表を外部記録媒体の形態で表記することが好ましい。
【００４９】
ここで、本発明における外部表示媒体とは、ゴルフクラブメーカー又は販売会社等が発行もしくは作成するゴルフクラブの説明書、カタログ、店頭にて表示するポスター、パネル等、ＴＶのコマーシャル、販売促進用のビデオ、電気通信回線等による表示が考えられる。つまり、主に視覚により認識可能であって、本発明における比率Ｖｈ／Ｖｇの値の情報に関して説明し、その比率Ｖｈ／Ｖｇの値の情報を表示するゴルフクラブを明示する参照情報の表示手段の１つである。外部表示媒体は、本発明における比率Ｖｈ／Ｖｇの値が一般に周知されていなければ、参照情報の表示が必要であり、一般に周知されれば単位の省略、数値を段階化して数値を省略等した参照情報の表示が考えられ、いずれも本発明に包含される。
【００５０】
また、表示部２０は、ラベルをゴルフクラブシャフト１２の表面に貼付けることにより構成しているが、本発明は、これに限定されるものではなく、表示部２０の表示内容が記録されたタグを用いることもできる。このタグが設けられたゴルフクラブシャフト１２を販売してもよい。また、表示部２０は、塗料などを用いて直接ゴルフクラブシャフトに印刷することにより、形成してもよい。
【００５１】
以下、図３及び図４を参照して、各ゴルファに対して適合するゴルフクラブシャフトが、比率Ｖｈ／Ｖｇに応じて選定できることについて説明する。
【００５２】
図３は、ゴルフスイング解析システムにおける表示装置の表示画面の一例を示す模式図である。
表示画面４０は、ダウンスイング中におけるゴルフクラブのヘッドスピードＶｇとグリップスピードＶｈの速度履歴を同時に表示するグラフ部４２、ダウンスイング中のゴルフクラブの挙動を動的に表示する描画部４４、インパクト直前におけるヘッドスピードＶｈとグリップスピードＶｇと比率Ｖｈ／Ｖｇとを含むスイング特性値を表示する特性表示部４６、ならびにグラフ部４２および描画部４４に表示させる動的なゴルフスイング中の区間をユーザに選択させたり、描画部４４における描画の開始または終了を選択させたりする各種メニューボタン４８が設けられている。
【００５３】
グラフ部４２は、ヘッドスピードＶｈと時間との関係、及びグリップスピードＶｇと時間との関係を同時にグラフとして表示するものである。
グラフ部４２において、曲線４３ａが、ゴルフクラブヘッドにおける、トップからインパクトまでのヘッドスピードＶｈの速度履歴を示す曲線である。また、曲線４３ｂが、ゴルフクラブのグリップ部の末端付近における、トップからインパクトまでのグリップスピードＶｇの速度履歴を示す曲線である。
【００５４】
ゴルフクラブの所定位置における速度履歴は、例えば、所定の磁場を形成するトランスミッタと、この磁場の強さや方向に応じて３軸方向の出力電圧を発生するレシーバと、コントローラとを有して構成される３次元位置方向計測装置を用いることにより測定することができる。
より具体的には、トランスミッタの位置を基準位置として、互いの直交する座標軸をもつＸ，Ｙ，Ｚ座標上におけるレシーバの３次元位置（ｘｍ，ｙｍ，ｚｍ）と、オイラー角を用いて表されるＸ，Ｙ，Ｚ座標上におけるレシーバの向き（θｙ，θｐ，θｒ）とを計測し、時系列データを取得することにより、ゴルフクラブの所定位置における速度履歴は算出される。
このような３次元位置方向計測装置として、例えば、3SPACE FASTRAK (Polhemus社製）を挙げることができる。
【００５５】
描画部４４においては、ゴルフクラブの挙動を動的に表示した軌跡４５は、トップからインパクトまでのゴルフクラブを模擬的に線画を用いて表示しており、時間の経過に伴ってゴルフクラブの軌跡４５を表示することで、あたかもユーザが線画で表したゴルフクラブを把持してゴルフスイングしているようなゴルフクラブの軌跡を表示する。
この描画部４４に表示された軌跡４５は、ゴルフボールを打撃する場合における飛球線方向に対して側面から見たときの挙動、すなわち、スイング中のゴルファに対して側面を投影面に設定したときのゴルフクラブの挙動を示す。
このようなゴルフスイング中のゴルフクラブの挙動の描画は、投影面に３次元位置（ｘｍ，ｙｍ，ｚｍ）を投影し、オイラー角（θｙ，θｐ，θｒ）の時系列データから算出される時間経過に伴ったゴルフクラブシャフトの向きを用いることにより、作成することができる（詳しくは、特開２００１−１１２９０３号公報参照。）。
【００５６】
特性表示部４６において表示されるスイング特性値は、各ゴルファのゴルフスイングにおける特徴を表すスイング特性の値であり、本実施形態では、インパクト直前におけるヘッドスピードＶｈと、グリップスピードＶｇと、比率Ｖｈ／Ｖｇとをスイング特性とする。
ヘッドスピードＶｈ及びグリップスピードＶｇは、インパクト直前の速度であり、動的な描画により表わされる軌跡４５において、ゴルフクラブが最下点に位置するときの速度であり、グラフ部４２において、スイング開始から最も時間が経過したときの速度である。なお、このヘッドスピードＶｈ及びグリップスピードＶｇは、上記３次元位置方向計測装置を用いて計測することができる。
比率Ｖｈ／Ｖｇは、インパクト直前におけるヘッドスピードＶｈとグリップスピードＶｇとの比率であり、ヘッドスピードＶｈをグリップスピードＶｇで除算して得られる値である。
【００５７】
グラフ部４２の曲線４３ａに示すように、トップからインパクトまでヘッドスピードは増加し続けるのに対し、曲線４３ｂに示すように、グリップスピードはトップから徐々に増加し、やがて極大値を向かえて減少していることが分かる。
これらの速度履歴は、各ゴルファによってそれぞれ固有な値を示すものである。つまり、ヘッドスピードＶｈが同一であるゴルファ同士であっても、グリップスピードＶｇが異なる値を示す場合がある。また、同一人のゴルファであっても、ゴルフクラブの重さや長さが異なるゴルフクラブをゴルフスイングしたときには、ヘッドスピードが異なる場合がある。
そのため、従来のようなゴルフクラブのヘッドスピードのみを考慮したゴルフクラブシャフトの選定方法は、各ゴルファに適したゴルフクラブシャフトを選定する方法としては不十分である。
【００５８】
しかしながら、同一人のゴルファがゴルフスイングをした場合において、異なるヘッドスピードを示したとしても、インパクト直前におけるヘッドスピードＶｈとグリップスピードＶｇとの比率Ｖｈ／Ｖｇは、各ゴルファに固有な値を示すことを本願の発明者は知見している。
そこで、本願発明者は、ゴルフスイングにおいてヘッドスピードのみならず、グリップスピードも、ゴルファのゴルフスイングを特徴付ける指標となることを見出した。
また、本願発明者によって、ゴルフスウィングにおいては、ヘッドスピードのみならず、グリップ端速度も、ゴルファのゴルフスウィングを特徴付ける重要な指標であることが見出されている（特願２００４−３０５６４２号明細書）。
【００５９】
上述の知見に基づいて、各ゴルファに対して適合するゴルフクラブシャフトが比率Ｖｈ／Ｖｇに基づいて選定することができることについて、本願発明者は、以下、具体的説明するように確認した。
【００６０】
ゴルフクラブをスイングしたときのヘッドスピードが異なるゴルファに対して、基準となるゴルフクラブをスイングしてもらい、そのゴルファがもつインパクト直前のヘッドスピードＶｈとグリップスピードＶｇを計測し、このヘッドスピードＶｈとグリップスピードＶｇの関係を図４に示すようにプロットした。
さらに、ゴルファに調子の種類の異なるゴルフクラブシャフトをスイングしてもらい、最も好ましい調子を選定してもらい、ゴルファがフィーリングにより選定した調子の種類（先調子、中調子、元調子）に応じてプロット点を区分けした。
図４は、インパクト直前のヘッドスピードおよびグリップスピードと、適正キックポイントとの関係を示すグラフである。適正キックポイントとは、ゴルファがフィーリングにより選定したゴルフクラブシャフトの調子である。
【００６１】
図４より、元調子を選定したゴルファのヘッドスピードをみると、ヘッドスピードは３９ｍ／ｓから５２ｍ／ｓまでの範囲であり、中調子を選定したゴルファのヘッドスピードをみると、ヘッドスピードは４０ｍ／ｓから４９ｍ／ｓまでの範囲であり、先調子を選定したゴルファのヘッドスピードをみると、ヘッドスピードは４０ｍ／ｓから５２ｍ／ｓまでの範囲である。
このように、各ゴルファの適正キックポイントとヘッドスピードとは直接関係がないことが分かる。
【００６２】
しかしながら、グリップスピードＶｇが５ｍ／ｓ以上のゴルファは元調子または中調子のゴルフクラブシャフトを選定しており、グリップスピードＶｇが４ｍ／ｓ以下のゴルファは先調子または中調子のゴルフクラブシャフトを選定していることが分かる。さらに、各調子のゴルフクラブシャフトを選定したゴルファは、ヘッドスピードＶｈが速くなるにつれてグリップスピードＶｇも速くなる傾向があることが分かる。
そこで、インパクト直前のヘッドスピードＶｈとグリップスピードＶｇの比率Ｖｈ／Ｖｇに応じて、各調子の種類を選定したゴルファを分類すると、図４に示すように、元調子を選定したゴルファは、比率Ｖｈ／Ｖｇの平均が８．０であり、中調子を選定したゴルファは、比率Ｖｈ／Ｖｇの平均が１０．３であり、先調子を選定したゴルファは、比率Ｖｈ／Ｖｇの平均が１２．０であった。
【００６３】
このように、元調子のゴルフクラブシャフトを選定したゴルファは、先調子や中調子のゴルフクラブシャフトを選定したゴルファと比較して、比率Ｖｈ／Ｖｇが小さく、先調子のゴルフクラブシャフトを選定したゴルファは比率Ｖｈ／Ｖｇが大きいことが分かる。
従って、各ゴルファに対して適合するゴルフクラブシャフトは、比率Ｖｈ／Ｖｇに基づいて選定することができる。
【００６４】
以上のことから、本実施形態のゴルフクラブにおいては、ゴルフクラブシャフト１２の表面に表示部２０を設け、この表示部２０に、ヘッドスピードとともに、ヘッドスピードＶｈとグリップスピードＶｇの比率Ｖｈ／Ｖｇを表示する構成とすることにより、ゴルファが、従来から行われているゴルフクラブのヘッドスピードＶｈに加えて、本願発明者が見出した新たな指標である比率Ｖｈ／Ｖｇを基準として、自分に適合したゴルフクラブシャフトを有するゴルフクラブを選択することができる。これにより、自分に適合するゴルフクラブシャフトを有するゴルフクラブを容易に把握することができる。
また、本実施形態のゴルフクラブシャフトにおいては、その表面に、ヘッドスピードＶｈとグリップスピードＶｇの比率Ｖｈ／Ｖｇを表示することにより、ゴルファが、従来から行われているゴルフクラブのヘッドスピードＶｈに加えて、本願発明者が見出した新たな指標である比率Ｖｈ／Ｖｇに基準として、自分に適合したゴルフクラブシャフト単体を選択することができる。これにより、自分に適合するゴルフクラブシャフトを容易に把握することができる。
【００６５】
本発明においては、ゴルフクラブシャフトの表示部２０における表示形態は、図２（ａ）〜（ｃ）に示すものに限定されるものではない。インパクト直前のゴルフクラブのヘッドスピードＶｈと、グリップスピードＶｇとの比率Ｖｈ／Ｖｇの値に応じて複数のレベルを設定し、この設定されたレベルに応じて、文字、数値または色を割り当ててもよい。この場合、比率Ｖｈ／Ｖｇの値に応じた文字もしくは数値をゴルフクラブシャフト１２の表示部２０に表示するか、または比率Ｖｈ／Ｖｇの値に応じた色でゴルフクラブシャフト１２の色分け、もしくは表示部２０の色分けをしてもよい。
【００６６】
このため、例えば、比率Ｖｈ／Ｖｇの値に応じて、下記表２に示すように、３段階のレベルを設定し、この設定されたレベルに応じて、「ＬＯＷ」、「ＭＩＤ」、「ＨＩＧＨ」の文字を割り当てる。この割り当てられた文字（「ＬＯＷ」、「ＭＩＤ」、「ＨＩＧＨ」）で比率Ｖｈ／Ｖｇを表示してもよい。好ましくは、レベルを２段階に設定する。
この場合、図５（ａ）〜（ｃ）に示す本実施形態の変形例のように、表示部２０ａに設定されたレベルを示す「ＬＯＷ」、「ＭＩＤ」、「ＨＩＧＨ」を表示するレベル表示領域２８を設ける。
【００６７】
【表２】
2006192263.tif 000004
【００６８】
本変形例は、第１の実施形態と同様の効果を得ることができるものであり、ゴルファは、ヘッドスピードＶｈに加えて比率Ｖｈ／Ｖｇの値に応じたレベル（「ＬＯＷ」、「ＭＩＤ」、「ＨＩＧＨ」）を基準として、自分に適合したゴルフクラブシャフトを有するゴルフクラブを選択することができる。また、自分に適合したゴルフクラブシャフトを、ゴルフクラブシャフト単体で選択することもできる。
なお、本変形例においても、上記表２に示す比率Ｖｈ／Ｖｇの値に応じて設定された３段階のレベル、および各レベルに設定された「ＬＯＷ」、「ＭＩＤ」、「ＨＩＧＨ」の文字については、外部表示媒体に記録されていることが好ましい。
【００６９】
次に、本発明の第２の実施形態について説明する。
図６（ａ）〜（ｃ）は、本発明の第２の実施形態に係るゴルフクラブのゴルフクラブシャフトの表示部を示す模式図である。
なお、図２（ａ）〜（ｃ）に示す第１の実施形態のゴルフクラブ１０のゴルフクラブシャフト１２の表示部２０と同一構成物には、同一符号を付してその詳細な説明は省略する。また、図６（ａ）〜（ｃ）においては、ゴルフクラブおよびゴルフクラブシャフトの図示は省略している。
【００７０】
本実施形態において、ゴルフクラブシャフト（図示せず）の表示部２０ｂが、第１の実施形態の表示部２０（図２（ａ）〜（ｃ）参照）に比して、比率Ｖｈ／Ｖｇの値を示す第３の表示領域２６に代えて、グリップスピードＶｇの範囲を示す値を表示するグリップスピード表示領域３０が設けられている点が異なり、それ以外の構成は、第１の実施形態のゴルフクラブシャフトの表示部２０と同様の構成である。このため、第２の実施形態のゴルフクラブおよび、ゴルフクラブシャフトについての詳細な説明は省略する。
【００７１】
本実施形態において、表示部２０ｂは、比率Ｖｈ／Ｖｇの値を表示するものではなく、比率Ｖｈ／Ｖｇの値に代えて、グリップスピードＶｇの値を表示するものである。比率Ｖｈ／Ｖｇに代えてグリップスピードＶｇの値を指標とする。
このグリップスピードＶｇの値については、下記表３に示すように、各ヘッドスピード範囲において、それぞれ設定されている。各ヘッドスピード範囲におけるグリップスピードＶｇの値は、非常に多くのゴルファに測定結果から、統計的に得られた値である。本実施形態においては、各ヘッドスピード範囲毎に、３水準に分類している。好ましくは、２水準である。
なお、本実施形態においても、下記表３に示す各ヘッドスピード範囲に応じて設定されたグリップスピードＶｇについては、外部表示媒体に記録されていることが好ましい。
また、下記表３に示す「−」は、数値の前側にある場合には、「以下」を示し、数値の後側にある場合には、「超える」ことを示すものである。
【００７２】
【表３】
2006192263.tif 000005
【００７３】
本実施形態においては、上記表３に示す分類に基づいて、グリップスピードＶｇが表示部２０ｂのグリップスピード表示領域３０に表示される。図６（ａ）のグリップスピード表示領域３０における「−３．６」は、グリップスピードＶｇが３．６ｍ／ｓ以下であることを示す。また、図６（ｂ）のグリップスピード表示領域３０における「３．６−４．８」は、グリップスピードＶｇが３．６〜４．８ｍ／ｓの範囲にあることを示す。さらに、図６（ｃ）のグリップスピード表示領域３０における「４．８−」は、グリップスピードＶｇが４．８ｍ／ｓを超えることを示す。
【００７４】
本実施形態においても、第１の実施形態と同様の効果を得ることができ、ゴルフクラブシャフトの表示部２０ｂに、ヘッドスピードＶｈとともに、グリップスピードＶｇを表示することにより、ゴルファは、ヘッドスピードＶｈに加えてグリップスピードＶｇを基準として、自分に適合したゴルフクラブシャフトを有するゴルフクラブを選択することができる。また、自分に適合したゴルフクラブシャフトを、ゴルフクラブシャフト単体で選択することもできる。
【００７５】
また、本実施形態においては、表示部に、ヘッドスピードＶｈとともにグリップスピードＶｇの値を表示する構成としたが、本発明は、これに限定されるものではなく、例えば、グリップスピードＶｇの値に代えて、各ヘッドスピード範囲に応じて設定されたグリップスピードＶｇの代表値を表示してもよい。
この場合、予め、下記表４に示すように、各ヘッドスピード範囲に応じて設定されたグリップスピードＶｇの代表値を設定する。なお、本実施形態においても、下記表４に示す各ヘッドスピード範囲に応じて設定されたグリップスピードＶｇおよびグリップスピードＶｇの代表値については、外部表示媒体に記録されていることが好ましい。
また、下記表４に示す「−」は、数値の前側にある場合には、「以下」を示し、数値の後側にある場合には、「超える」ことを示すものである。
【００７６】
【表４】
2006192263.tif 000006
【００７７】
ここで、図７（ａ）〜（ｃ）は、本発明の第２の実施形態のゴルフクラブのゴルフクラブシャフトの表示部の変形例を示す模式図である。
なお、図６（ａ）〜（ｃ）に示す第２の実施形態のゴルフクラブシャフトの表示部２０ａと同一構成物には、同一符号を付してその詳細な説明は省略する。また、図７（ａ）〜（ｃ）においては、ゴルフクラブおよびゴルフクラブシャフトの図示は省略している。
【００７８】
本変形例においては、表示部２０ｃの構成が、第２の実施形態の表示部２０ｂのグリップスピード表示領域３０に代えて、グリップスピードＶｇの代表値を表示する代表値表示領域３２が設けられている点が異なり、それ以外の構成は、第２の実施形態のゴルフクラブシャフトの表示部２０ｂと同様である。比率Ｖｈ／Ｖｇに代えてグリップスピードＶｇの代表値を指標としている。
ここで、グリップスピードＶｇの代表値とは、例えば、グリップスピードＶｇを所定の範囲に区分した場合、各区分における中央の値（平均値）のことである。これ以外にも、グリップスピードＶｇの代表値としては、各区分における切りの良い数値、ユーザが分かり易い数値などを用いてもよい。
【００７９】
なお、上記表３および表４に示す「対応ヘッドスピードＶｈ表示」の欄に示すヘッドスピードＶｈの表記は、代表値を示したものである。この場合、ヘッドスピードＶｈの区分（２５〜３４ｍ／ｓ）においては、中央値近傍の切りの良い数値を代表値とし、「Ｍ−３０」と表示している。なお、それ以外のヘッドスピードＶｈの各区分においては、各区分における最小値を代表値とし、第２の表示領域２４に「Ｍ−最小値」の形式で表示している。
【００８０】
上記表４に示す分類に基づいて、グリップスピードＶｇの代表値が代表値表示領域３２に表示される。図７（ａ）の代表値表示領域３２における「３．３」は、グリップスピードＶｇが３．６ｍ／ｓ以下であることを示す。また、図７（ｂ）の代表値表示領域３２における「４．３」は、グリップスピードＶｇが３．６〜４．８ｍ／ｓの範囲にあることを示す。さらに、図７（ｃ）の代表値表示領域３２における「５．４」は、グリップスピードＶｇが４．８ｍ／ｓを超えることを示す。
【００８１】
本変形例においても、ゴルフクラブシャフトの表示部２０ｃに、ヘッドスピードＶｈとともに、グリップスピードＶｇの代表値を表示することにより、ゴルファは、ヘッドスピードＶｈに加えてグリップスピードＶｇの代表値を基準として、自分に適合したゴルフクラブシャフトを有するゴルフクラブを選択することができる。また、自分に適合したゴルフクラブシャフトを、ゴルフクラブシャフト単体で選択することもできる。
【００８２】
また、本実施形態においても、グリップスピードＶｇの代表値以外にも、グリップスピードＶｇの値に応じて複数のレベルを設定し、この設定されたレベルに応じて、文字、数値または色を割り当ててもよい。この場合、グリップスピードＶｇの値に応じた文字もしくは数値をゴルフクラブシャフトの表示部に表示するか、またはグリップスピードＶｇの値に応じた色でゴルフクラブシャフトを色分け、もしくは表示部の色分けをしてもよい。
この場合においても、グリップスピードＶｇの値に応じて設定されたレベル、および各レベルに設定された文字、数値または色については、外部表示媒体に記録されていることが好ましい。
このような表示形態であっても、上述のように、各ゴルファに対して適合するゴルフクラブシャフトを、各ゴルフが選定することができるという効果が得られることはいうまでもない。
【００８３】
次に、本発明の第３の実施形態について説明する。
本発明においては、インパクト直前のゴルフクラブのヘッドスピードＶｈについても、ヘッドスピードＶｈの値に応じた複数のレベルを設定し、この設定されたレベルに応じて文字、数値または色を割り当ててもよい。この場合、ヘッドスピードＶｈの値に応じた文字もしくは数値をゴルフクラブシャフトに表示することができる。また、ヘッドスピードＶｈの値に応じた色でゴルフクラブシャフトを色分けすることができる。
【００８４】
図８（ａ）〜（ｃ）は、本発明の第３の実施形態に係るゴルフクラブのゴルフクラブシャフトの表示部を示す模式図である。
なお、図２（ａ）〜（ｃ）に示す第１の実施形態のゴルフクラブ１０のゴルフクラブシャフト１２の表示部２０と同一構成物には、同一符号を付してその詳細な説明は省略する。また、図８（ａ）〜（ｃ）においては、ゴルフクラブおよびゴルフクラブシャフトの図示は省略している。
【００８５】
本実施形態において、ゴルフクラブシャフト（図示せず）の表示部２０ｄが、第１の実施形態の表示部２０（図２（ａ）〜（ｃ）参照）に比して、第２の表示領域２４に表示されるゴルフクラブシャフトを選定するための指標が、ゴルフクラブのヘッドスピードＶｈに代えて、ゴルフクラブシャフトの硬さを表示する慣用的な表現を用いて表示されたものである点が異なり、それ以外の構成は、第１の実施形態のゴルフクラブシャフトの表示部２０と同様の構成である。このため、第３の実施形態のゴルフクラブおよび、ゴルフクラブシャフトについての詳細な説明は省略する。
【００８６】
本実施形態においては、ヘッドスピードＶｈの値に応じた複数のレベルを設定し、この設定されたレベルに応じて、ゴルフクラブシャフトの硬さを表示する慣用的な表現が割り当てられている。
ここで、ゴルフクラブシャフトの硬さを表示する慣用的な表現とは、一般的に、硬い順から、Extra Stiff（略称；Ｘ）、Stiff（略称；Ｓ）、Regular（略称；Ｒ）、Average（略称；Ａ）、Ladies（略称；Ｌ）などが挙げられる。硬さを示す各略称についても、慣用的な表現であり、当業者であれば理解することができるものである。
また、Stiff（略称；Ｓ）とRegular（略称；Ｒ）との中間の硬さを表現するＳＲ（略称）もある。さらには、Extra Stiff（略称；Ｘ）よりも硬いことを表現するＸＸ（略称）、ＸＸＸ（略称）を用いることもある。また、Regular（略称；Ｒ）の硬さの中で、更にＲ１（略称）、Ｒ２（略称）のように複数の段階を設けることもある。また、硬さの表現の一部を省略して、Ｓ（略称）、ＳＲ（略称）、Ｒ（略称）、Ｌ（略称）などの４段階で硬さの表示をすることもあり、さらには以上に示した硬さを組み合わせることなども当業者により適宜設定できる。
【００８７】
また、ゴルフクラブシャフトの硬さとヘッドスピードＶｈとの関係は、ヘッドスピードＶｈが速いゴルファほど、比較的硬いゴルフクラブシャフトを選択する傾向にある。このゴルフクラブシャフトの硬さとしては、曲げ硬さ、１次の曲げ固有振動数などを用いることができる。
さらには、当業者であれば、ヘッドスピードＶｈが速いゴルファほど、比較的硬いゴルフクラブシャフトを選択する傾向を考慮して、ゴルフクラブシャフトの硬さの評価、および硬さの設定を適宜行うことができる。
【００８８】
本実施形態において、表示部２０ｄの第２の表示領域２４は、ヘッドスピードＶｈを表示するものではなく、ヘッドスピードＶｈに代えて、ゴルフクラブシャフトの硬さを表示するものである。図８（ａ）〜（ｃ）においては、第２の表示領域２４にExtra Stiff（略称；Ｘ）を示す「Ｘ」が表示されている。また、表示部２０ｄの第３の表示領域２６に比率Ｖｈ／Ｖｇの値が表示されている。
【００８９】
本実施形態においても、第１の実施形態と同様の効果を得ることができ、ゴルフクラブシャフトの表示部２０ｄに、ヘッドスピードＶｈに代えて、ゴルフクラブシャフトの硬さを表示することにより、ゴルファは、ヘッドスピードＶｈに代わるゴルフクラブシャフトの硬さに加えて比率Ｖｈ／Ｖｇを基準として、自分に適合したゴルフクラブシャフトを有するゴルフクラブを選択することができる。また、自分に適合したゴルフクラブシャフトを、ゴルフクラブシャフト単体で選択することもできる。
【００９０】
また、ヘッドスピードＶｈの値に応じて設定されるレベルに対して、ゴルフクラブシャフトの硬さを設定する場合においても、ヘッドスピードＶｈの値と、設定したゴルフクラブシャフトの硬さ（略称を含む）との関係を、表にまとめておき、この表を外部記録媒体の形態で表記することが好ましい。
【００９１】
なお、ヘッドスピードＶｈの値に応じて設定されるレベルに対して、ゴルフクラブシャフトの硬さを設定する以外にも、数値または色などを設定してもよい。この場合においても、ヘッドスピードＶｈの値と、設定した数値または色などとの関係を、表にまとめておき、この表を外部記録媒体の形態で表記することが好ましい。
また、本実施形態においては、表示部２０ｄの第２の表示領域２４を、設定したゴルフクラブシャフトの硬さ（略称を含む）に応じた色で色分けしてもよい。
【００９２】
次に、本発明の第４の実施形態について説明する。
図９（ａ）〜（ｃ）は、本発明の第４の実施形態に係るゴルフクラブのゴルフクラブシャフトの表示部を示す模式図である。
なお、図５（ａ）〜（ｃ）に示す本発明の第１の実施形態に係るゴルフクラブのゴルフクラブシャフトの表示部２０ａの変形例と同一構成物には、同一符号を付してその詳細な説明は省略する。また、図９（ａ）〜（ｃ）においては、ゴルフクラブおよびゴルフクラブシャフトの図示は省略している。
【００９３】
本実施形態において、ゴルフクラブシャフト（図示せず）の表示部２０ｅが、第１の実施形態の変形例の表示部２０ａ（図５（ａ）〜（ｃ）参照）に比して、第２の表示領域２４に表示されるゴルフクラブシャフトを選定するための指標が、ゴルフクラブのヘッドスピードＶｈに代えて、ゴルフクラブシャフトの硬さを表示する慣用的な表現を用いて表示されたものである点が異なり、それ以外の構成は、第１の実施形態の変形例のゴルフクラブシャフトの表示部２０ａと同様の構成である。このため、第４の実施形態のゴルフクラブおよび、ゴルフクラブシャフトについての詳細な説明は省略する。
【００９４】
本実施形態においては、ゴルフクラブシャフトの硬さが、「Ｒ（略称）」で第２の表示領域２４に表示されるとともに、レベル表示領域２８に、比率Ｖｈ／Ｖｇの値に応じて設定された３段階のレベル（「ＬＯＷ」、「ＭＩＤ」、「ＨＩＧＨ」）に応じて、「ＬＯＷ」、「ＭＩＤ」、「ＨＩＧＨ」の文字が表示される。
なお、レベル表示領域２８に、表示される。図９（ａ）〜（ｃ）に示す「ＬＯＷ」、「ＭＩＤ」、「ＨＩＧＨ」の文字は、上記表２に対応するものであるため、その詳細な説明は省略する。
【００９５】
本実施形態においても、第１の実施形態と同様の効果を得ることができ、ゴルフクラブシャフトの表示部２０ｅにヘッドスピードＶｈに代えて、ゴルフクラブシャフトの硬さを表示し、レベル表示領域２８に、比率Ｖｈ／Ｖｇの値に応じて設定された３段階のレベルの文字を表示することにより、ゴルファは、ヘッドスピードＶｈに代わるゴルフクラブシャフトの硬さに加えて比率Ｖｈ／Ｖｇの値に応じたレベル（「ＬＯＷ」、「ＭＩＤ」、「ＨＩＧＨ」）を基準として、自分に適合したゴルフクラブシャフトを有するゴルフクラブを選択することができる。また、自分に適合したゴルフクラブシャフトを、ゴルフクラブシャフト単体で選択することもできる。
なお、本実施形態においても、各ヘッドスピード範囲に応じて設定されたゴルフクラブシャフトの硬さについては、外部表示媒体に記録されていることが好ましい。
【００９６】
次に、本発明の第５の実施形態について説明する。
図１０（ａ）〜（ｃ）は、本発明の第５の実施形態に係るゴルフクラブのゴルフクラブシャフトの表示部を示す模式図である。
なお、図６（ａ）〜（ｃ）に示す第２の実施形態のゴルフクラブ１０のゴルフクラブシャフト１２の表示部２０ｂと同一構成物には、同一符号を付してその詳細な説明は省略する。また、図１０（ａ）〜（ｃ）においては、ゴルフクラブおよびゴルフクラブシャフトの図示は省略している。
【００９７】
本実施形態において、ゴルフクラブシャフト（図示せず）の表示部２０ｆが、第２の実施形態の表示部２０ｂ（図６（ａ）〜（ｃ）参照）に比して、第２の表示領域２４に表示されるゴルフクラブシャフトを選定するための指標が、ゴルフクラブのヘッドスピードＶｈに代えて、ゴルフクラブシャフトの硬さを表示する慣用的な表現を用いて表示されたものである点が異なり、それ以外の構成は、第２の実施形態のゴルフクラブシャフトの表示部２０ｂと同様の構成である。このため、第５の実施形態のゴルフクラブおよび、ゴルフクラブシャフトについての詳細な説明は省略する。
【００９８】
このゴルフクラブシャフトの硬さについては、下記表５に示すように、各ヘッドスピード範囲において、それぞれ設定されている。各ヘッドスピード範囲におけるゴルフクラブシャフトの硬さは、上述の第３の実施形態のように、当業者であれば適宜設定することができるものである。
本実施形態においては、ヘッドスピードが「４９〜５２ｍ／ｓ」のものを「ＸＸ（略称）」とした。ヘッドスピードが「４６〜４９ｍ／ｓ」のものを「Ｘ（略称）」とした。ヘッドスピードが「４３〜４６ｍ／ｓ」のものを「Ｓ（略称）」とした。ヘッドスピードが「４０〜４３ｍ／ｓ」のものを「ＳＲ（略称）」とした。ヘッドスピードが「３７〜４０ｍ／ｓ」のものを「Ｒ（略称）」とした。ヘッドスピードが「３４〜３７ｍ／ｓ」のものを「Ａ（略称）」とした。ヘッドスピードが「２５〜３４ｍ／ｓ」のものを「Ｌ（略称）」とした。
なお、本実施形態においても、下記表５に示す各ヘッドスピード範囲に応じて設定されたゴルフクラブシャフトの硬さについては、外部表示媒体に記録されていることが好ましい。
また、下記表５に示す「−」は、数値の前側にある場合には、「以下」を示し、数値の後側にある場合には、「超える」ことを示すものである。
【００９９】
【表５】
2006192263.tif 000007
【０１００】
本実施形態においては、上記表５に示す分類に基づいて、図１０（ａ）〜（ｃ）に示すように、ゴルフクラブシャフトの硬さが第２の表示領域２４に「Ｓ」（Ｍ−４３相当）と表示されるとともに、グリップスピードＶｇが表示部２０ｆのグリップスピード表示領域３０に表示される。図１０（ａ）〜（ｃ）のグリップスピード表示領域３０における表記は、上記表３と同様であるため、その詳細な説明は省略する。
【０１０１】
本実施形態においても、第１の実施形態と同様の効果を得ることができ、ゴルフクラブシャフトの表示部２０ｆに、ヘッドスピードＶｈに代えて、ゴルフクラブシャフトの硬さを表示し、表示部２０ｆのグリップスピード表示領域３０にグリップスピードＶｇを表示することにより、ゴルファは、ヘッドスピードＶｈに代わるゴルフクラブシャフトの硬さに加えてグリップスピードＶｇを基準として、自分に適合したゴルフクラブシャフトを有するゴルフクラブを選択することができる。また、自分に適合したゴルフクラブシャフトを、ゴルフクラブシャフト単体で選択することもできる。
【０１０２】
次に、本発明の第６の実施形態について説明する。
図１１（ａ）〜（ｃ）は、本発明の第５の実施形態に係るゴルフクラブのゴルフクラブシャフトの表示部を示す模式図である。
なお、図７（ａ）〜（ｃ）に示す第２の実施形態の変形例のゴルフクラブ１０のゴルフクラブシャフト１２の表示部２０ｃと同一構成物には、同一符号を付してその詳細な説明は省略する。また、図１１（ａ）〜（ｃ）においては、ゴルフクラブおよびゴルフクラブシャフトの図示は省略している。
【０１０３】
本実施形態において、ゴルフクラブシャフト（図示せず）の表示部２０ｇが、第２の実施形態の変形例の表示部２０ｃ（図７（ａ）〜（ｃ）参照）に比して、第２の表示領域２４に表示されるゴルフクラブシャフトを選定するための指標が、ゴルフクラブのヘッドスピードＶｈに代えて、ゴルフクラブシャフトの硬さを表示する慣用的な表現を用いて表示されたものである点が異なり、それ以外の構成は、第２の実施形態の変形例のゴルフクラブシャフトの表示部２０ｃと同様の構成である。このため、第６の実施形態のゴルフクラブおよび、ゴルフクラブシャフトについての詳細な説明は省略する。
【０１０４】
このゴルフクラブシャフトの硬さについては、下記表６に示すように、各ヘッドスピード範囲（区分）において、それぞれ設定されている。各ヘッドスピード範囲におけるゴルフクラブシャフトの硬さは、上述の第３の実施形態のように、当業者であれば適宜設定することができるものである。
本実施形態においては、ヘッドスピードが「４９〜５２ｍ／ｓ」のものを「Ｘ２（略称）」とした。ヘッドスピードが「４６〜４９ｍ／ｓ」のものを「Ｓ１（略称）」とした。ヘッドスピードが「４３〜４６ｍ／ｓ」のものを「Ｓ２（略称）」とした。ヘッドスピードが「４０〜４３ｍ／ｓ」のものを「Ｒ１（略称）」とした。ヘッドスピードが「３７〜４０ｍ／ｓ」のものを「Ｒ２（略称）」とした。ヘッドスピードが「３４〜３７ｍ／ｓ」のものを「Ｌ１（略称）」とした。ヘッドスピードが「２５〜３４ｍ／ｓ」のものを「Ｌ２（略称）」とした。
なお、本実施形態においても、下記表６に示す各ヘッドスピード範囲に応じて設定されたゴルフクラブシャフトの硬さについては、外部表示媒体に記録されていることが好ましい。
また、下記表６に示す「−」は、数値の前側にある場合には、「以下」を示し、数値の後側にある場合には、「超える」ことを示すものである。
【０１０５】
【表６】
2006192263.tif 000008
【０１０６】
本実施形態においては、上記表６に示す分類に基づいて、図１１（ａ）〜（ｃ）に示すように、ゴルフクラブシャフトの硬さが第２の表示領域２４に「Ｓ２」（Ｍ−４３相当）と表示されるとともに、グリップスピードＶｇの代表値が代表値表示領域３２に表示される。図１１（ａ）〜（ｃ）の代表値表示領域３２における表記は、上記第２の実施形態の変形例と同様であるため、その詳細な説明は省略する。
【０１０７】
本実施形態においても、第１の実施形態と同様の効果を得ることができ、ゴルフクラブシャフトの表示部２０ｇに、ヘッドスピードＶｈに代えて、ゴルフクラブシャフトの硬さを表示、表示部２０ｇの代表値表示領域３２にグリップスピードＶｇの代表値を表示することにより、ゴルファは、ヘッドスピードＶｈに代わるゴルフクラブシャフトの硬さに加えてグリップスピードＶｇの代表値を基準として、自分に適合したゴルフクラブシャフトを有するゴルフクラブを選択することができる。また、自分に適合したゴルフクラブシャフトを、ゴルフクラブシャフト単体で選択することもできる。
【０１０８】
以上、本発明に係るゴルフクラブシャフトについて詳細に説明したが、本発明は、以上の実施形態に限定されるものではなく、本発明の要旨を逸脱しない範囲において、各種の改良や変更を行ってもよい。
【図面の簡単な説明】
【０１０９】
【図１】本発明の第１の実施形態に係るゴルフクラブを示す模式図である。
【図２】（ａ）〜（ｃ）は、本実施形態のゴルフクラブにおけるゴルフクラブシャフトを選定するための指標を表示する表示部の一例を示す模式図である。
【図３】ゴルフスイング解析システムにおける表示装置の表示画面の一例を示す模式図である。
【図４】インパクト直前のヘッドスピードおよびグリップスピードと、適正キックポイントとの関係を示すグラフである。
【図５】（ａ）〜（ｃ）は、本発明の第１の実施形態に係るゴルフクラブのゴルフクラブシャフトの表示部の変形例を示す模式図である。
【図６】（ａ）〜（ｃ）は、本発明の第２の実施形態に係るゴルフクラブのゴルフクラブシャフトの表示部を示す模式図である。
【図７】（ａ）〜（ｃ）は、本発明の第２の実施形態に係るゴルフクラブのゴルフクラブシャフトの表示部の変形例を示す模式図である。
【図８】（ａ）〜（ｃ）は、本発明の第３の実施形態に係るゴルフクラブのゴルフクラブシャフトの表示部を示す模式図である。
【図９】（ａ）〜（ｃ）は、本発明の第４の実施形態に係るゴルフクラブのゴルフクラブシャフトの表示部を示す模式図である。
【図１０】（ａ）〜（ｃ）は、本発明の第５の実施形態に係るゴルフクラブのゴルフクラブシャフトの表示部を示す模式図である。
【図１１】（ａ）〜（ｃ）は、本発明の第６の実施形態に係るゴルフクラブのゴルフクラブシャフトの表示部を示す模式図である。
【符号の説明】
【０１１０】
１０  ゴルフクラブ
１２  ゴルフクラブシャフト
１４  グリップ
１５  グリップ端
１６  ゴルフクラブヘッド
１８ａ  フェース部
１８ｂ  ホーゼル部
２０、２０ａ、２０ｂ、２０ｃ、２０ｄ、２０ｅ、２０ｆ、２０ｇ  表示部
２２  第１の表示領域
２４  第２の表示領域
２６  第３の表示領域
２８  レベル表示領域
３０  グリップスピード表示領域
３２  代表値表示領域
４０  表示画面
４２  グラフ部
４３ａ、４３ｂ  曲線
４４  描画部
４５  軌跡
４６  特性表示部
４８  メニューボタン
【図１】
2006192263.tif 000009
【図２】
2006192263.tif 000010
【図３】
2006192263.tif 000011
【図４】
2006192263.tif 000012
【図５】
2006192263.tif 000013
【図６】
2006192263.tif 000014
【図７】
2006192263.tif 000015
【図８】
2006192263.tif 000016
【図９】
2006192263.tif 000017
【図１０】
2006192263.tif 000018
【図１１】
2006192263.tif 000019